(57)【要約】  高精度なビーム照射位置を実現できる粒子線照射装置を得る。照射対象における荷電粒子ビームの目標照射位置座標から、その照射を実現するスキャニング電磁石の指令値及び荷電粒子ビームの運動エネルギーの指令値を生成する逆写像数式モデルを有する逆写像手段を備え、照射対象における荷電粒子ビームの目標照射位置座標から、前記逆写像数式モデルを使用して生成した前記指令値により前記スキャニング電磁石及び荷電粒子ビームの運動エネルギーを制御して荷電粒子ビームを走査し照射対象に照射するようにしたものである。
2010143266.tif 000002
【特許請求の範囲】
【請求項１】
加速器により加速された荷電粒子ビームをスキャニング電磁石で走査して照射対象に照射する粒子線照射装置において、
照射対象における荷電粒子ビームの目標照射位置座標から、その照射を実現する前記スキャニング電磁石の指令値及び荷電粒子ビームの運動エネルギーの指令値を生成する逆写像モデルを有する逆写像手段を備え、
照射対象における荷電粒子ビームの目標照射位置座標から、前記逆写像モデルを使用して生成した前記指令値により前記スキャニング電磁石及び荷電粒子ビームの運動エネルギーを制御して荷電粒子ビームを走査し照射対象に照射するようにしたことを特徴とする粒子線照射装置。
【請求項２】
前記逆写像モデルは逆写像数式モデルであることを特徴とする請求項１記載の粒子線照射装置。
【請求項３】
前記逆写像数式モデルは多項式であり、かつ、３入力３出力であることを特徴とする請求項２記載の粒子線照射装置。
【請求項４】
前記逆写像数式モデルは前記目標照射位置座標からなる多項式であることを特徴とする請求項２記載の粒子線照射装置。
【請求項５】
前記逆写像数式モデルは多項式であり、前記多項式に存在する未知の係数は、
前記スキャニング電磁石に予め設定した複数組の指令値を入力すると共に、前記加速器に予め設定した運動エネルギーの複数の指令値を入力して、
荷電粒子ビームを制御し、
実際に照射されたそれぞれの照射位置座標の実データから最小二乗法又は重み付け最小二乗法により求めるようにした請求項２〜請求項４のいずれか１項に記載の粒子線照射装置。
【請求項６】
前記逆写像数式モデルは複数個であり、前記複数の逆写像数式モデルを選択できるようにしたことを特徴とする請求項２〜請求項４のいずれか１項に記載の粒子線照射装置。
【請求項７】
偏向電磁石に、前記スキャニング電磁石の機能を持たせたことを特徴とする請求項１〜請求項４のいずれか１項に記載の粒子線照射装置。
【発明の詳細な説明】
【技術分野】
【０００１】
この発明は、がん治療等の医療用や研究用に用いられる粒子線照射装置に関する。特にスポットスキャニングやラスタスキャニングなどの走査式照射を行う粒子線照射装置に関する。
【背景技術】
【０００２】
がん治療等の医療用や研究用に用いられる粒子線照射装置において、もっとも広く用いられている照射方式はブロード照射方式である。ブロード照射方式は、散乱体やワブラー電磁石を使って荷電粒子ビームを広げ、コリメータやボーラスを使って患部以外の場所への照射を減らす方法である。【０００３】
この一気に照射対象領域を照射するブロード照射方式に対して、スポットスキャニングやラスタスキャニングといった、荷電粒子ビームを走査して照射対象である患部を小領域ずつ照射する走査式照射方法が提案されている（例えば非特許文献１）。非特許文献１に示された走査式照射を行う従来の粒子線照射装置を更に応用して、最終偏向電磁石よりも上流側に走査電磁石を置くことにより、ガントリの半径を著しく減少させたもの（特許文献１）や、走査電磁石を省略できることを示したもの（特許文献２）も提案されている。また、医療用や研究用の粒子線照射装置ではないが、試料上に照射する目的の荷電粒子ビーム走査式装置において、偏向走査位置ずれを補正する手段が提案されている（特許文献３）。【０００４】
走査式照射方法は、ブロード照射方式で用いるコリメータやボーラスといった患部以外の正常組織への照射を防ぐ部品がないのが一般的なため、ブロード照射方式以上にビーム位置精度が要求される。このように、走査式照射方法はブロード照射方式以上にビーム位置精度が要求されているにもかかわらず、そのビーム位置精度を補償する装置はあまり開示されていない。【０００５】
また、陽子、炭素イオンなどの荷電粒子ビームは、体内など物質に入射すると、荷電粒子ビームのエネルギーに応じた特定の深さ（飛程という）まで物質中を進み、飛程終端付近で物質に対するエネルギー付与が最大となるピークがあり（ブラッグピークと呼ぶ）、Ｘ線など他の放射線に比べてブラッグピークがとてもシャープな深部線量分布を形成する特徴を有する。粒子線照射装置はこの性質を利用して、正常組織への影響を極力抑え、患部に線量を集中照射させるものである。このことから、スポットスキャニングやラスタスキャニングを行う走査型の粒子線照射装置や治療計画装置において従来は、目標照射位置の体内深さ方向（Ｚ方向）は荷電粒子ビームのエネルギーを調整することで、Ｚ方向と直交するＸ方向とＹ方向は走査電磁石等の走査手段を制御することで、というふうに分離して行えると仮定して、走査手段と加速器それぞれの制御量を計算していた。
【先行技術文献】
【特許文献】
【０００６】
【特許文献１】特表２００７−５３４３９１号公報（第４図）
【特許文献２】特開２００６−１６６９４７号公報
【特許文献３】国際公開第ＷＯ０１／６９６４３号パンフレット
【非特許文献】
【０００７】
【非特許文献１】Tatsuaki  Kanai,  et  al.,  “Spot  scanning  system  for  proton  radiotherapy",  Medical  Physics,  Jul./Aug.  1980,  Vol.7,  No.4,  pp365-369
【発明の概要】
【発明が解決しようとする課題】
【０００８】
たしかに、荷電粒子ビームが常に進行方向が一定な平行ビームであれば、ビーム照射位置のｚ座標は荷電粒子ビームのエネルギーのみによって一意に決めることができる。しかし、実際の走査電磁石等の走査手段によってビームの向きが制御される粒子線照射装置においては、荷電粒子ビームは扇状に広がるファンビーム（１次元走査）や円錐状に広がるコーンビーム（２次元走査）となるため、ビーム照射位置のｚ座標は荷電粒子ビームのエネルギーによって一意に決められない。このファンビームであることによる照射位置への影響はファンビーム効果と呼ばれ、コーンビームであることによる照射位置への影響はコーンビーム効果と呼ばれている。【０００９】
図８はファンビーム効果とコーンビーム効果を説明する図である。図中、１は荷電粒子ビーム、３１は患者の体、３２はその体表面を示す。図８（ａ）はファンビーム効果を説明しており、荷電粒子ビーム１が１次元走査されると照射位置の端部３３のｚ座標と中心部３４のｚ座標が一定にならない。図８（ｂ）はコーンビーム効果を説明しており、荷電粒子ビーム１が２次元走査されると照射位置の端部３３のｚ座標と中心部３４のｚ座標が一定にならない。【００１０】
この発明は前述のような課題を解決するためになされたものであり、高精度なビーム照射位置を実現できる粒子線照射装置を得ることを目的とする。
【課題を解決するための手段】
【００１１】
この発明の粒子線照射装置は、加速器により加速された荷電粒子ビームをスキャニング電磁石で走査して照射対象に照射する粒子線照射装置において、照射対象における荷電粒子ビームの目標照射位置座標から、その照射を実現する前記スキャニング電磁石の指令値及び荷電粒子ビームの運動エネルギーの指令値を生成する逆写像モデルを有する逆写像手段を備え、照射対象における荷電粒子ビームの目標照射位置座標から、前記逆写像モデルを使用して生成した前記指令値により前記スキャニング電磁石及び荷電粒子ビームの運動エネルギーを制御して荷電粒子ビームを走査し照射対象に照射するようにしたものである。【００１２】
また、この発明の粒子線照射装置は、前記逆写像モデルが逆写像数式モデルの多項式であり、前記多項式に存在する未知の係数は、前記スキャニング電磁石に予め設定した複数組の指令値を入力すると共に、前記加速器に予め設定した運動エネルギーの複数の指令値を入力して、荷電粒子ビームを制御し、実際に照射されたそれぞれの照射位置座標の実データから最小二乗法又は重み付け最小二乗法により求めるようにしたものである。
【発明の効果】
【００１３】
この発明に係る粒子線照射装置よれば、照射対象における荷電粒子ビームの目標照射位置座標から、その照射を実現するスキャニング電磁石の指令値及び荷電粒子ビームの運動エネルギーの指令値を生成する逆写像モデルを有する逆写像手段を備えたので、高精度なビーム照射位置を実現できる粒子線照射装置が得られる。【００１４】
また、この発明に係る粒子線照射装置よれば、前記逆写像モデルが逆写像数式モデルの多項式であり、前記多項式に存在する未知の係数は、前記スキャニング電磁石に予め設定した複数組の指令値を入力すると共に、前記加速器に予め設定した運動エネルギーの複数の指令値を入力して、荷電粒子ビームを制御し、実際に照射されたそれぞれの照射位置座標の実データから最小二乗法又は重み付け最小二乗法により求めるようにしたので、実データに基づいているため、高精度なビーム照射位置を実現できる粒子線照射装置が得られる。従って、ファンビーム効果やコーンビーム効果に依存する照射位置座標の変動も考慮された高精度なビーム照射位置を実現できる。
【図面の簡単な説明】
【００１５】
【図１】この発明の基礎となる技術における粒子線照射装置を示す構成図である。
【図２】この発明において、キャリブレーション時の実データから、係数（未知パラメータ）を計算する手法を説明する図である。
【図３】この発明において、係数（未知パラメータ）を計算する手法を説明するブロック図である。
【図４】この発明において、係数（未知パラメータ）を計算する手法を説明するフローチャートである。
【図５】この発明において、治療計画値よりスキャニング電磁石の指令値と荷電粒子ビームの運動エネルギーの指令値を求めるブロック図である。
【図６】この発明の実施の形態１における粒子線照射装置を示す構成図である。
【図７】この発明の実施の形態２における粒子線照射装置を示す構成図である。
【図８】ファンビーム効果とコーンビーム効果を説明する図である。
【発明を実施するための形態】
【００１６】
発明の基礎となる技術
図１はこの発明の基礎となる技術における走査式照射をする粒子線照射装置を示す構成図である。粒子線照射装置は、荷電粒子ビーム１を所望の運動エネルギーを有する荷電粒子ビーム１に加速する加速器１１、荷電粒子ビーム１を輸送するビーム輸送ダクト２、荷電粒子ビーム１を走査するスキャニング電磁石（走査電磁石）３、ビームを取出すビーム取出し窓４、及び、スキャニング電磁石３へ指令値を送るスキャニング制御器１０などから構成されている。ビーム輸送ダクト２を有するビーム輸送系には、偏向電磁石、ビームモニタ、遮蔽電磁石、ビームダンパ、照射路偏向電磁石などが設けられている。発明の基礎になる技術における粒子線照射装置は、スキャニング制御器１０にビーム照射位置座標空間７からスキャニング電磁石指令値空間６への逆写像数式モデルを有するものである。換言すれば、スキャニング制御器１０には目標ビーム照射位置座標に対して、それを実現するスキャニング電磁石３の指令値の推定値を生成する逆写像手段９を有している。
【００１７】
次に粒子線照射装置の動作について説明する。加速器１１により所望の運動エネルギーを有する荷電粒子ビーム１にまで加速された荷電粒子ビーム１は、ビーム輸送ダクト２の中をとおり、照射部へと導かれる。荷電粒子ビーム１はさらにビーム取出し窓４から取出され、照射基準点であるアイソセンタ５に向けて照射されるように設計されている。一般的に、照射対象である患部を選択的に走査して照射するために、荷電粒子ビーム１は、ビーム輸送ダクト２の外側に設けられたＸ方向スキャニング電磁石（Ｘ方向走査電磁石）３ａとＹ方向スキャニング電磁石（Ｙ方向走査電磁石）３ｂとによって、ビーム照射位置のＸＹ方向が制御されると共に、加速器１１で荷電粒子ビーム１の運動エネルギーを変えることによってビーム照射位置のＺ方向（患部の深さ方向）が制御される。これらのビーム照射位置の制御を行うのは、粒子線照射装置全体を制御する照射制御装置２３（図５参照）により集中制御する方法と、スキャニング電磁石と、加速器の荷電粒子ビーム１の運動エネルギーを制御するスキャニング制御器１０によって分散制御する方法がある。
【００１８】
発明の基礎になる技術において、荷電粒子ビーム１の照射位置制御を行うスキャニング制御器１０には、ビーム照射位置座標空間７からスキャニング電磁石指令値空間６への逆写像数式モデルを有する逆写像手段９を設けた。逆写像数式モデルの好適な一例は多項式モデルである。以下の数式１に最高次数＝２の場合の多項式モデルを示す。なお、発明の基礎になる技術では、ビーム照射位置のＺ方向（深さ方向）は、荷電粒子ビームの運動エネルギーにより一意に決まると仮定し、逆写像数式モデルは複数個、異なった運動エネルギーに対して作成する。
【００１９】
【数１】
2010143266.tif 000003
【００２０】
ただし、ａ00，ａ01，ａ02，…，ｂ00，ｂ01，ｂ02，…は逆写像数式モデルの特性を決定する係数（未知パラメータ）である。Ｉae，Ｉbeは荷電粒子ビームの照射位置座標が（ｘ，ｙ）となるＸ，Ｙ方向スキャニング電磁石指令値の推定値である。逆写像数式モデルの特性を決定する係数（未知パラメータ）は、あらかじめキャリブレーション（calibration）用に試し照射を行い、その試し照射の実データから最小二乗法などにより求めればよい。
【００２１】
図２はキャリブレーション時の実データから、係数（未知パラメータ）を計算する手法を説明する図である。なお、図１の８は正写像（実物理現象）の方向を示している。図３は係数（未知パラメータ）を計算する手法を説明するブロック図である。図４は係数（未知パラメータ）を計算する手法を説明するフローチャートである。なお、各図において、同一符号は同一又は相当部分を示す。図において、１２は第１ビームプロファイルモニタで、荷電粒子ビームの基準照射軸１５に垂直に設置され、照射される荷電粒子ビームの２次元の通過位置座標（ｘa，ｙa）を出力する。１３は第２ビームプロファイルモニタで、第１ビームプロファイルモニタ１２との間に所定の間隔を空けて荷電粒子ビームの基準照射軸１５に垂直に設置され、照射される荷電粒子ビームの２次元の通過位置座標（ｘb，ｙb）を出力する。１４は水ファントムで、その表面を患者の体表面１６に合わせ荷電粒子ビームの基準照射軸１５に垂直に配置され、照射される荷電粒子ビームの到達する位置座標の深さ方向の座標ｚpを出力する。なお、第１，第２ビームプロファイルモニタ１２，１３及び水ファントム１４は、未知パラメータを計算するときや、荷電粒子ビームの校正，確認のときに配置し、患者への荷電粒子ビーム照射時は移動させるものである。
【００２２】
キャリブレーションの試し照射は、スキャニング制御器１０により、以下の値をふって行う。
Ｘ方向スキャニング電磁石への指令値Ｉa（＝電流値，ヒステリシスを考慮して補正計算した電流値や設定磁場強度等）。
Ｙ方向スキャニング電磁石への指令値Ｉb（＝電流値，ヒステリシスを考慮して補正計算した電流値や設定磁場強度等）。
加速器への運動エネルギー指令値Ｅb
【００２３】
前記指令値を受けて、照射された荷電粒子ビーム１は、第１，第２ビームプロファイルモニタ１２，１３を通過し、第１，第２ビームプロファイルモニタ１２，１３よりそれぞれ測定された通過位置座標（ｘa，ｙa），（ｘb，ｙb）を出力する。また、照射された荷電粒子ビーム１は、荷電粒子の運動エネルギーから到達する位置の深さ方向座標ｚが一意に決まると仮定する。これらの値（ｘa，ｙa），（ｘb，ｙb）及びｚから、データ処理手段１７（図３）は、照射位置座標（ｘ，ｙ，ｚ）を算出する。
【００２４】
前述したように、キャリブレーションの試し照射は、各指令値の値をふって行う。例えば、Ｘ方向スキャニング電磁石への指令値ＩaをＩa＋ΔＩa、…に、Ｙ方向スキャニング電磁石への指令値ＩbをＩb＋ΔＩb、…にふる。ここで、試し照射の実データから、逆写像の係数（未知パラメータ）を求める方法の一例を示す。数式１で示した多項式モデルは、行列とベクトルを用いると以下のように表現できる。
【００２５】
【数２】
2010143266.tif 000004
ここで、行列Ａｃは照射位置座標からなる逆写像の入力行列、行列Ｘｃは逆写像の未知パラメータ行列、行列Ｂｅは指令値の推定値からなる逆写像の出力行列である。ただし、未知パラメータ行列Ｘｃは、まだこの段階では値が求まっていない。キャリブレーションの試し照射のときの指令値Ｂcaribおよび得られた照射位置Ａcaribの実データは、数式２の形にしたがって、縦長行列をつくるように縦にならべていく。
【００２６】
【数３】
2010143266.tif 000005
ここで、下添えの数字は、キャリブレーションの試し照射番号を意味する（上の例では、n箇所試し照射を行ったことを意味する）。逆写像の未知パラメータ行列Ｘｃは、以下の最小二乗法の式により求まる。
【００２７】
【数４】
2010143266.tif 000006
ただし、上添え字のＴは、転置行列であることを表す。
以上のキャリブレーションにより多項式の各係数を求めた後、本照射を実施する。まずスキャニング電磁石３ａへのビーム入射点がキャリブレーション時から変動していないことを、ビーム輸送ダクト１に設けられたビームモニタ（図示しない）により確認する。この時ビーム入射点が変動していることが認められた場合には、前記キャリブレーション手順を再度行い、各係数を再び求めればよい。
【００２８】
数式１等の多項式モデルの次数は、扱う粒子線照射装置の特性によって、非線形性が強いものは適宜次数を上げていけばよく、数式１に示した次数＝２のものである必要はない。いくつかの多項式モデル（逆写像数式モデル）をあらかじめ用意し、オペレータが多項式モデルを選択できるようにするとよい。なお、特許文献３等に開示されている方法は、補正量を計算するものであるが、この発明における逆写像数式モデルは指令値そのものを求めるものである点が異なる。
【００２９】
粒子線照射装置は、３次元的に荷電粒子ビームを照射することが求められ、図１に示すように、一般的に、目標ビーム照射位置座標の（ｘ，ｙ，ｚ）は（ｘ0，ｙ0，ｚ0）（ｘ1，ｙ1，ｚ1）（ｘ2，ｙ2，ｚ2）……という形でスキャニング制御器１０に送られる。
【００３０】
図５は治療計画値よりスキャニング電磁石の指令値と荷電粒子ビームの運動エネルギーの指令値を求めるブロック図である。患者に対する治療計画装置２１より目標ビーム照射位置座標（ｘ0，ｙ0，ｚ0）（ｘ1，ｙ1，ｚ1）（ｘ2，ｙ2，ｚ2）……が、データサーバ２２，照射制御装置２３を経由して、スキャニング制御器１０に送られる。なお、図５の、逆写像数式モデルと運動エネルギー指令値Ｅbeについては実施の形態１で説明する。発明の基礎になる技術では、前述したように、加速器の荷電粒子ビームの運動エネルギーを設定値としてビーム照射位置のＺ方向の制御を含めていないため、スキャニング電磁石３ａへのビーム入射点が変動しないようにすると、送られた目標ビーム照射位置座標（ｘ0，ｙ0）（ｘ1，ｙ1）（ｘ2，ｙ2）……が、それぞれスキャニング制御器１０の逆写像数式モデル（数式１）に代入され、それぞれ各目標ビーム照射位置座標について、スキャニング電磁石指令値の推定値（Ｉae，Ｉbe）（……が算出される。
【００３１】
発明の基礎になる技術においては、異なる複数の荷電粒子ビーム運動エネルギーごとに逆写像を求めた。具体的には、例えば、照射基準であるアイソセンタ５を含む平面Ａ0−Ａ0への逆写像数式モデルだけではなく、荷電粒子ビームの運動エネルギーを−ΔＥbずつ変更して（等間隔である必要はない）固定したアイソセンタ５よりも手前の平面Ａ-1−Ａ-1，Ａ-2−Ａ-2，…、逆に、荷電粒子ビームの運動エネルギーを＋ΔＥbずつ変更して固定したアイソセンタ５よりも奥の平面Ａ1−Ａ1，Ａ2−Ａ2，…、からの逆写像数式モデルも準備し、照射対象におけるビーム照射位置座標が平面と平面との間にある場合は線形補間するようにした。
【００３２】
このように、発明の基礎となる技術では、照射基準平面上の目標照射位置座標（ｘ，ｙ）に対して、それを実現するスキャニング電磁石への指令値の推定値（Ｉae，Ｉbe）を計算する計算手段（逆写像手段）を設けている。具体的には、その逆写像手段は２入力２出力の多項式モデルを有している。そのため、対象とする粒子線照射装置の個体差、使用環境や経年変化に応じてビーム位置精度を補償し、高精度、高信頼度の粒子線照射装置が得られる。
【００３３】
実施の形態１.
図６は実施の形態１における粒子線照射装置を示す構成図である。発明の基礎となる技術では、逆写像数式モデルを２入力２出力として捉えたが、実施の形態１では、図６，数式５（後述）に示すように、逆写像数式モデルを目標照射位置座標からなる３入力３出力とした。以下の数式５に３入力３出力、最高次数＝２の場合の多項式モデルを示す。
【００３４】
【数５】
2010143266.tif 000007
【００３５】
ただし、ａ000，ａ001，ａ002，…，ｂ000，ｂ001，ｂ002，…，ｃ000，ｃ001，ｃ002，…は逆写像数式モデルの特性を決定する係数（未知パラメータ）である。Ｉae，Ｉbe，Ｅbeは荷電粒子ビームの照射位置座標が（ｘ，ｙ，ｚ）となるＸ，Ｙ方向スキャニング電磁石への指令値の推定値、加速器への荷電粒子ビームの運動エネルギーの指令値の推定値である。逆写像数式モデルの特性を決定する係数（未知パラメータ）は、発明の基礎となる技術と同様に、あらかじめキャリブレーション（calibration）用に試し照射を行い、その試し照射の実データから最小二乗法などにより求める。
【００３６】
キャリブレーションの試し照射は、スキャニング制御器１０により、以下の値をふって行う。
Ｘ方向スキャニング電磁石への指令値Ｉa（＝電流値，ヒステリシスを考慮して補正計算した電流値や設定磁場強度等）。
Ｙ方向スキャニング電磁石への指令値Ｉb（＝電流値，ヒステリシスを考慮して補正計算した電流値や設定磁場強度等）。
加速器への運動エネルギー指令値Ｅb
【００３７】
前記指令値を受けて、図２，図３，図４を参照して、照射された荷電粒子ビーム１は、第１，第２ビームプロファイルモニタ１２，１３を通過し、第１，第２ビームプロファイルモニタ１２，１３よりそれぞれ測定された通過位置座標（ｘa，ｙa），（ｘb，ｙb）を出力する。さらに、照射された荷電粒子ビーム１は、水ファントム１４に到達し、その到達する位置座標の深さ方向の座標ｚpを出力する。これらの出力値を得たデータ処理手段１７（図３）は、（ｘa，ｙa），（ｘb，ｙb）とｚpから到達位置座標の（ｘp，ｙp）を求め、到達位置座標（ｘp，ｙp，ｚp）を決定する。
【００３８】
前述したように、キャリブレーションの試し照射は、各指令値の値をふって行う。例えば、Ｘ方向スキャニング電磁石への指令値ＩaをＩa＋ΔＩa、…に、Ｙ方向スキャニング電磁石への指令値ＩbをＩb＋ΔＩb、…に、加速器への運動エネルギー指令値ＥbをＥb＋ΔＥb、…にふる。ここで、試し照射の実データから、３入力３出力の場合の逆写像の係数（未知パラメータ）を求める方法の一例を示す。数式５で示した多項式モデルは、行列とベクトルを用いると以下のように表現できる。
【００３９】
【数６】
2010143266.tif 000008
ここで、行列Ａｃは照射位置座標からなる逆写像の入力行列、行列Ｘｃは逆写像の未知パラメータ行列、行列Ｂｅは指令値の推定値からなる逆写像の出力行列である。ただし、未知パラメータ行列Ｘｃは、まだこの段階では値が求まっていない。キャリブレーションの試し照射のときに得られた指令値および照射位置の実データは、数式６の形にしたがって、縦長行列をつくるように縦にならべていく。キャリブレーションの試し照射のときの指令値Ｂcaribおよび得られた照射位置Ａcaribの実データは、数式６の形にしたがって、縦長行列をつくるように縦にならべていく。
【００４０】
【数７】
2010143266.tif 000009
ここで、下添えの数字は、キャリブレーションの試し照射番号を意味する（上の例では、n箇所試し照射を行ったことを意味する）。逆写像の未知パラメータ行列Ｘｃは、発明の基礎となる技術と同様、最小二乗法の数式４により求まる。以上のキャリブレーションにより多項式の各係数を求めた後、本照射を実施する。まずスキャニング電磁石３ａへのビーム入射点がキャリブレーション時から変動していないことを、ビーム輸送ダクト１に設けられたビームモニタ（図示しない）により確認する。この時ビーム入射点が変動していることが認められた場合には、前記キャリブレーション手順を再度行い、各係数を再び求めればよい。
【００４１】
逆写像数式モデルである多項式モデルの次数は、扱う粒子線照射装置の特性によって、非線形性が強いものは適宜次数を上げていけばよく、数式５に示した次数＝２のものである必要はない。実施の形態１でも、いくつかの多項式モデルをあらかじめ用意し、オペレータが多項式モデルを選択できるようにてもよい。
【００４２】
実施の形態１においても、図５を参照して、患者に対する治療計画装置２１より目標ビーム照射位置座標（ｘ0，ｙ0，ｚ0）（ｘ1，ｙ1，ｚ1）（ｘ2，ｙ2，ｚ2）……が、データサーバ２２，照射制御装置２３を経由して、スキャニング制御器１０に送られる。スキャニング電磁石３ａへのビーム入射点が変動しないようにすると、送られた目標ビーム照射位置座標（ｘ0，ｙ0，ｚ0）（ｘ1，ｙ1，ｚ1）（ｘ2，ｙ2，ｚ2）……が、それぞれスキャニング制御器１０の逆写像数式モデル（数式５）に代入され、それぞれ各目標ビーム照射位置座標について、スキャニング電磁石の指令値の推定値（Ｉae，Ｉbe）（……と運動エネルギー指令値の推定値（Ｅbe）（……が算出される。
【００４３】
荷電粒子ビームの位置の制御は、おおよそ、ＸＹ方向はスキャニング電磁石３により、Ｚ方向は荷電粒子ビームの運動エネルギー調整により行うが、厳密にはこのようにきれいにＸＹとＺとを分離できるわけではない。スキャニング電磁石３により荷電粒子ビームを制御すると、ＸＹ方向だけではなく、Ｚ方向をも影響を受ける。同様に、荷電粒子ビームの運動エネルギーを制御すると、Ｚ方向だけではなく、ＸＹ方向をも影響を受ける場合がある。このような影響をここでは「ＸＹとＺとの干渉項の影響」と呼ぶことにする。３入力３出力の逆写像数式モデルは、このＸＹとＺとの干渉項の影響も考慮して指令値を生成することができる。
【００４４】
従来の偏向補正による方法（例えば特許文献３）においては、Ｚ方向を考慮しているものをみないが、実施の形態１ではこのように複数の逆写像数式モデルを用意することにより、Ｚ方向をも考慮することができる。
このように、スキャニング制御器１０における逆写像数式モデルを目標照射位置座標からなる３入力３出力としたので、スキャニング電磁石３への指令値と荷電粒子ビーム１の運動エネルギー指令値を一度に求めることができ、ＸＹとＺとの干渉項の影響をも考慮して指令値を生成するので、より高精度なビーム位置制御を実現できる。また、ファンビーム効果やコーンビーム効果に依存する照射位置座標の変動も考慮された高精度なビーム照射位置を実現できる。また、照射対象における荷電粒子ビームの目標照射位置座標から、その照射を実現するスキャニング電磁石の指令値及び荷電粒子ビームの運動エネルギーの指令値を生成する逆写像モデルとして、変換テーブルを用意して、照射対象における荷電粒子ビームの目標照射位置座標から、前記変換テーブルを使用して生成した前記指令値により前記スキャニング電磁石及び荷電粒子ビームの運動エネルギーを制御して荷電粒子ビームを走査し照射対象に照射するようにしてもよい。
【００４５】
実施の形態２.
図７は実施の形態２における粒子線照射装置を示す構成図である。３１はビーム輸送系に設けられた最終偏向電磁石で、Ｙ方向スキャニング電磁石３ｂより上流に配置され、荷電粒子ビームをＡ，Ｂ、Ｃ経路に偏向する。発明の基礎となる技術の図１では、スキャニング電磁石３が最下流にある単純な場合を示したが、特許文献１の粒子線照射装置のように、スキャニング電磁石（スキャニング電磁石，ワブラー電磁石）の下流に偏向電磁石があるような場合や、特許文献２の粒子線照射装置のように、偏向電磁石をうまく利用してスキャニング電磁石を省略したものがある。かような構成例にもこの発明を適用することができ、むしろ、これらの場合は、指令値座標空間６からビーム照射位置座標空間７への正写像がより複雑になるため、この発明の効果は大きい。
【００４６】
図７では、Ｙ方向スキャニング電磁石３ｂは使用し、最終偏向電磁石３１にＸ方向スキャニング電磁石の機能を持たせたものである。最終偏向電磁石３１からＸ方向スキャニング電磁石への指令値Ｉa、を発生させ、荷電粒子ビームを走査し、最終偏向電磁石３１にＸ方向スキャニング電磁石の指令値の推定値Ｉaeを入力する。このように、最終偏向電磁石３１にＸ方向スキャニング電磁石と同様な機能をも持たせるものである。
【００４７】
実施の形態３．
実施の形態１において、多項式の係数（未知パラメータ）の求め方として、最小二乗法について説明した。この多項式の係数（未知パラメータ）の求め方において、重み付け最小二乗法を用いてもよい。この重み付け最小二乗法とは、多項式の係数（未知パラメータ）を求めるもとのデータ（キャリブレーション時の実データ）において、各データに重みをつけて計算するものである。例えば、キャリブレーションの試し照射を行う際、何らかの理由により（例えば電気的ノイズ等）、信頼性の低いデータが得られる場合がある。この場合、信頼性の低いデータには０に近い重みをかけることによって、このデータの影響を抑えることができる。
また、照射対象をいくつかのエリアに分割して、それぞれのエリアごとに多項式の未知パラメータを求めても良い。この場合、あるエリアＡの多項式を計算する場合、キャリブレーションの試し照射の実データにおいてエリアＡに属するデータは重み１を、エリアＡに属さないデータは０に近い重みをかけて計算することによって、より実現象に近い、すなわち高精度な照射を実現することができる。
【図１】
2010143266.tif 000010
【図２】
2010143266.tif 000011
【図３】
2010143266.tif 000012
【図４】
2010143266.tif 000013
【図５】
2010143266.tif 000014
【図６】
2010143266.tif 000015
【図７】
2010143266.tif 000016
【図８】
2010143266.tif 000017
【手続補正書】
【提出日】平成22年1月6日(2010.1.6)
【手続補正１】
【補正対象書類名】特許請求の範囲
【補正対象項目名】全文
【補正方法】変更
【補正の内容】
【特許請求の範囲】
【請求項１】
制御器で加速器とスキャニング電磁石とを制御して前記加速器からの荷電粒子ビームを照射対象に照射する粒子線照射装置において、
前記スキャニング電磁石は、Ｘ方向スキャニング電磁石と、前記Ｘ方向スキャニング電磁石の走査方向と直交する方向に走査するＹ方向スキャニング電磁石とを有し、
前記制御器は、照射対象における荷電粒子ビームの目標照射位置座標から、その照射を実現する前記Ｘ方向スキャニング電磁石を励磁するためのＸ方向指令値，前記Ｙ方向スキャニング電磁石を励磁するためのＹ方向指令値，及び荷電粒子ビームを加速する前記加速器への運動エネルギー指令値をそれぞれ生成するＸ方向，Ｙ方向，及び運動エネルギー逆写像数式モデルを有し、
前記Ｘ方向，Ｙ方向，及び運動エネルギー逆写像数式モデルは、それぞれ、前記目標照射位置座標を３変数で表示したときの前記３変数のいずれも含んでおり、
照射対象における荷電粒子ビームの前記目標照射位置座標から、前記Ｘ方向，Ｙ方向，及び運動エネルギー逆写像数式モデルにより生成した前記Ｘ方向，Ｙ方向，及び運動エネルギー指令値により、前記Ｘ方向とＹ方向スキャニング電磁石，及び前記加速器を制御して荷電粒子ビームを制御して照射対象に照射するようにしたことを特徴とする粒子線照射装置。
【請求項２】
前記Ｘ方向，Ｙ方向，及び運動エネルギー逆写像数式モデルは、それぞれ、多項式であることを特徴とする請求項１記載の粒子線照射装置。
【請求項３】
多項式である前記Ｘ方向，Ｙ方向，及び運動エネルギー逆写像数式モデルにそれぞれ存在する未知の係数は、
前記Ｘ方向とＹ方向スキャニング電磁石に予め設定した複数組のＸ方向とＹ方向指令値を入力すると共に、前記加速器に予め設定した複数の運動エネルギー指令値を入力して、
荷電粒子ビームを制御し、実際に照射されたそれぞれの照射位置座標の実データから最小二乗法又は重み付け最小二乗法により求めるようにしたことを特徴とする請求項２記載の粒子線照射装置。
【請求項４】
前記Ｘ方向，Ｙ方向，及び運動エネルギー逆写像数式モデルを複数組有し、前記複数組の中から使用する前記Ｘ方向，Ｙ方向，及び運動エネルギー逆写像数式モデルを選択できるようにしたことを特徴とする請求項１記載の粒子線照射装置。
【請求項５】
ビーム輸送系に設けられた偏向電磁石に、前記Ｘ方向スキャニング電磁石の機能を持たせたことを特徴とする請求項１記載の粒子線照射装置。
【手続補正２】
【補正対象書類名】明細書
【補正対象項目名】００１１
【補正方法】変更
【補正の内容】
【００１１】
この発明の粒子線照射装置は、制御器で加速器とスキャニング電磁石とを制御して前記加速器からの荷電粒子ビームを照射対象に照射する粒子線照射装置において、前記スキャニング電磁石は、Ｘ方向スキャニング電磁石と、前記Ｘ方向スキャニング電磁石の走査方向と直交する方向に走査するＹ方向スキャニング電磁石とを有し、前記制御器は、照射対象における荷電粒子ビームの目標照射位置座標から、その照射を実現する前記Ｘ方向スキャニング電磁石を励磁するためのＸ方向指令値，前記Ｙ方向スキャニング電磁石を励磁するためのＹ方向指令値，及び荷電粒子ビームを加速する前記加速器への運動エネルギー指令値をそれぞれ生成するＸ方向，Ｙ方向，及び運動エネルギー逆写像数式モデルを有し、前記Ｘ方向，Ｙ方向，及び運動エネルギー逆写像数式モデルは、それぞれ、前記目標照射位置座標を３変数で表示したときの前記３変数のいずれも含んでおり、照射対象における荷電粒子ビームの前記目標照射位置座標から、前記Ｘ方向，Ｙ方向，及び運動エネルギー逆写像数式モデルにより生成した前記Ｘ方向，Ｙ方向，及び運動エネルギー指令値により、前記Ｘ方向とＹ方向スキャニング電磁石，及び前記加速器を制御して荷電粒子ビームを制御して照射対象に照射するようにしたものである。
【手続補正３】
【補正対象書類名】明細書
【補正対象項目名】００１２
【補正方法】変更
【補正の内容】
【００１２】
また、この発明の粒子線照射装置は、多項式である前記Ｘ方向，Ｙ方向，及び運動エネルギー逆写像数式モデルにそれぞれ存在する未知の係数は、前記Ｘ方向とＹ方向スキャニング電磁石に予め設定した複数組のＸ方向とＹ方向指令値を入力すると共に、前記加速器に予め設定した複数の運動エネルギー指令値を入力して、荷電粒子ビームを制御し、実際に照射されたそれぞれの照射位置座標の実データから最小二乗法又は重み付け最小二乗法により求めるようにしたものである。
【手続補正４】
【補正対象書類名】明細書
【補正対象項目名】００１３
【補正方法】変更
【補正の内容】
【００１３】
この発明に係る粒子線照射装置よれば、制御器は、照射対象における荷電粒子ビームの目標照射位置座標から、その照射を実現するＸ方向スキャニング電磁石を励磁するためのＸ方向指令値，Ｙ方向スキャニング電磁石を励磁するためのＹ方向指令値，及び荷電粒子ビームを加速する加速器への運動エネルギー指令値をそれぞれ生成するＸ方向，Ｙ方向，及び運動エネルギー逆写像数式モデルを有し、前記Ｘ方向，Ｙ方向，及び運動エネルギー逆写像数式モデルは、それぞれ、前記目標照射位置座標を３変数で表示したときの前記３変数のいずれも含んでいるので、高精度なビーム照射位置を実現できる粒子線照射装置が得られる。また、ファンビーム効果やコーンビーム効果に依存する照射位置座標の変動も考慮された高精度なビーム照射位置を実現できる。
【手続補正５】
【補正対象書類名】明細書
【補正対象項目名】００１４
【補正方法】変更
【補正の内容】
【００１４】
また、この発明に係る粒子線照射装置よれば、多項式であるＸ方向，Ｙ方向，及び運動エネルギー逆写像数式モデルにそれぞれ存在する未知の係数は、前記Ｘ方向とＹ方向スキャニング電磁石に予め設定した複数組のＸ方向とＹ方向指令値を入力すると共に、前記加速器に予め設定した複数の運動エネルギー指令値を入力して、荷電粒子ビームを制御し、実際に照射されたそれぞれの照射位置座標の実データから最小二乗法又は重み付け最小二乗法により求めるようにしたので、実データに基づいているため、高精度なビーム照射位置を実現できる粒子線照射装置が得られる。従って、ファンビーム効果やコーンビーム効果に依存する照射位置座標の変動も考慮された高精度なビーム照射位置を実現できる。
【手続補正６】
【補正対象書類名】明細書
【補正対象項目名】００３５
【補正方法】変更
【補正の内容】
【００３５】
ただし、ａ０００，ａ００１，ａ００２，…，ｂ０００，ｂ００１，ｂ００２，…，ｃ０００，ｃ００１，ｃ００２，…は逆写像数式モデルの特性を決定する係数（未知パラメータ）である。Ｉａｅ，Ｉｂｅ，Ｅｂｅは荷電粒子ビームの照射位置座標が（ｘ，ｙ，ｚ）となるＸ，Ｙ方向スキャニング電磁石へのＸ方向とＹ方向指令値の推定値、加速器への荷電粒子ビームの運動エネルギーの指令値の推定値である。つまり、Ｘ方向指令値Ｉａｅ，Ｙ方向指令値Ｉｂｅ，及び運動エネルギー指令値Ｅｂｅを生成するＸ方向，Ｙ方向，運動エネルギー逆写像数式モデル（数式５）は、目標照射位置座標を３変数（ｘ，ｙ，ｚ）で表示したときの前記３変数のいずれも含んでいる。逆写像数式モデルの特性を決定する係数（未知パラメータ）は、発明の基礎となる技術と同様に、あらかじめキャリブレーション（calibration）用に試し照射を行い、その試し照射の実データから最小二乗法などにより求める。
【国際調査報告】
2010143266.tif 000018
2010143266.tif 000019
2010143266.tif 000020
2010143266.tif 000021